(57)【要約】【課題】単語学習装置において、単語に対応した様々な語義をユーザの使い勝手や操作性良く学習する。【解決手段】単語帳データから［送り］キー３１ａの操作に応じて順次読み出されて表示される英単語について、ユーザ操作に応じて設定される表示方法として「傾け操作に応じた表示」が設定された場合には、当該英単語に対応する複数の語義がそれぞれ単語帳本体の上下左右の４方向に割り当てられ、同英単語と共にその複数の語義の割り当て方向を示す品詞別傾きガイド画面ＫＧｈや単語別傾きガイド画面ＫＧｔ等が表示される。そして、前記単語帳本体を前記傾きガイド画面ＫＧに従った方向に傾けると、その傾け方向に応じて割り当てられた前記表示中の英単語の語義が表示される。【選択図】図１０
2015194552.tif 000002
【特許請求の範囲】
【請求項１】
単語と当該単語に対応した複数の語義を対応付けて記憶する単語記憶手段と、
ユーザ操作に応じた装置本体の複数の動きに対応させて前記複数の語義をそれぞれ割り当てる語義割り当て手段と、
前記ユーザ操作による装置本体の動きに応じて前記語義割り当て手段により割り当てられた語義を表示部に表示させる語義表示手段と、
を備えたことを特徴とする単語学習装置。
【請求項２】
前記装置本体の複数の動きは、複数の方向への傾きであることを特徴とする請求項１に記載の単語学習装置。
【請求項３】
前記単語記憶手段により記憶された語義に対応付けて当該語義が前記語義表示手段により表示された回数を計数して記憶する表示回数記憶手段と、
この表示回数記憶手段により記憶された表示回数が所定回数に達した語義に対応付けて当該語義を識別表示させるための識別情報を記憶させる識別情報記憶手段と、
を備えたことを特徴とする請求項１または請求項２に記載の単語学習装置。
【請求項４】
ユーザ操作に応じて語義の表示方法を設定する表示方法設定手段を備え、
前記語義表示手段は、前記表示方法設定手段により前記装置本体の動きに応じて語義を表示する表示方法が設定された場合に、前記ユーザ操作による装置本体の動きに応じて前記語義割り当て手段により割り当てられた語義を表示部に表示させる、
ことを特徴とする請求項１ないし請求項３の何れか１項に記載の単語学習装置。
【請求項５】
記憶部と表示部を備えた電子機器のコンピュータを制御するためのプログラムであって、
前記コンピュータを、
単語と当該単語に対応した複数の語義を対応付けて前記記憶部に記憶させる単語記憶手段と、
ユーザ操作に応じた装置本体の複数の動きに対応させて前記複数の語義をそれぞれ割り当てる語義割り当て手段と、
前記ユーザ操作による装置本体の動きに応じて前記語義割り当て手段により割り当てられた語義を前記表示部に表示させる語義表示手段、
として機能させるためのコンピュータ読み込み可能なプログラム。
【発明の詳細な説明】
【技術分野】
【０００１】
本発明は、単語の学習に好適な単語学習装置およびその制御プログラムに関する。
【背景技術】
【０００２】
近年、紙の書籍の辞書に代わり、利便性や携帯性が良いことから電子辞書が多用されている。この電子辞書は、多様な辞書をデータベースとして備えるだけでなく、多機能化しており、その機能として履歴機能や単語帳機能がある。
【０００３】
前記履歴機能では、検索した単語（見出し語）を履歴データとして自動的に保存することで、その後において、ユーザが過去に調べた単語を前記履歴データから簡単に読み出して再確認できる。
【０００４】
また、前記単語帳機能では、覚えたい単語を単語帳データとして保存し、この単語帳データに保存された単語を、紙の単語帳のようにその単語と訳とで切り換えて表示することで、簡単に所望の単語を学習できる。
【０００５】
従来の電子辞書であって、前記単語帳機能と履歴（ヒストリ）機能を備えたものがある（例えば、特許文献１参照。）。
【０００６】
また、電子辞書と別体の携帯型表示装置に当該電子辞書から辞書のデータを取り込み、その携帯型表示装置によって、取り込んだ辞書のデータをユーザの手元で表示させたり、発音の音声をイヤホンから出力させたりすることで、携帯性良く単語を学習できる電子辞書装置も考えられている（例えば、特許文献２参照。）。
【０００７】
また、単語やその意味を順次その文字列のイメージデータとして取り込み、この取り込まれた各イメージデータを、ユーザ操作に応じて順番に読み出して表示させることで、簡単に所望の単語を学習できる自己テスト学習機も考えられている（例えば、特許文献３参照。）。
【先行技術文献】
【特許文献】
【０００８】
【特許文献１】特開２００５−２９２３０３号公報
【特許文献２】特開２００９−２６６０２４号公報
【特許文献３】特開平０８−８３０３９号公報
【発明の概要】
【発明が解決しようとする課題】
【０００９】
前記従来の携帯型の表示装置では、電子データとして記憶した複数の単語とその意味を、ユーザ自らが順番に切り替えて出力させ、単語学習をどこでも手軽に行うことができる。
【００１０】
一方で、英単語に対して日本語訳（語義）が一つだけという単語は少なく、多くの単語はその語義が複数あるケースが多々ある。このため、各単語に対応した代表的な語義だけではなく、複数の語義をユーザの使い勝手や操作性良く学習したい要望がある。
【００１１】
本発明は、このような課題に鑑みなされたもので、単語に対応した様々な語義をユーザの使い勝手や操作性良く学習することが可能になる単語学習装置およびその制御プログラムを提供することを目的とする。
【課題を解決するための手段】
【００１２】
本発明に係る単語学習装置は、単語と当該単語に対応した複数の語義を対応付けて記憶する単語記憶手段と、ユーザ操作に応じた装置本体の複数の動きに対応させて前記複数の語義をそれぞれ割り当てる語義割り当て手段と、前記ユーザ操作による装置本体の動きに応じて前記語義割り当て手段により割り当てられた語義を表示部に表示させる語義表示手段と、を備えたことを特徴としている。
【発明の効果】
【００１３】
本発明によれば、単語に対応した様々な語義をユーザの使い勝手や操作性良く学習することが可能になる。
【図面の簡単な説明】
【００１４】
【図１】本発明の単語学習装置の実施形態に係る電子単語帳３０を電子辞書１０に接続した状態での外観構成を示す図。
【図２】前記電子辞書１０の電子回路の構成を示すブロック図。
【図３】前記電子単語帳３０の電子回路の構成を示すブロック図。
【図４】前記電子単語帳３０に記憶される単語帳データ４２ｂの内容を示す図。
【図５】前記電子辞書１０による辞書検索処理を示すフローチャート。
【図６】前記電子辞書１０による前記電子単語帳３０との通信処理を示すフローチャート。
【図７】前記電子単語帳３０による単語帳学習処理を示すフローチャート。
【図８】前記電子単語帳３０の単語帳学習処理に従った表示方法の設定に伴う表示動作を示す図。
【図９】前記電子単語帳３０の単語帳学習処理における傾け動作処理を示すフローチャート。
【図１０】前記電子単語帳３０の傾け動作処理に従ったユーザ操作に対応する表示動作を示す図。
【図１１】前記電子辞書１０による単語帳学習処理に従った単語帳学習画面Ｇの表示動作を示す図。
【発明を実施するための形態】
【００１５】
以下図面により本発明の実施の形態について説明する。
【００１６】
図１は、本発明の単語学習装置の実施形態に係る電子単語帳３０を電子辞書１０に接続した状態での外観構成を示す図である。
【００１７】
前記電子単語帳３０は前記電子辞書１０と相互に通信可能である。
【００１８】
前記電子辞書１０は、以下に説明する電子辞書専用の携帯機器として構成されるか、辞書機能を備えたタッチパネル式のＰＤＡ(personal digital assistants)、ＰＣ(personal computer)、携帯電話、電子ブック、携帯ゲーム機等として構成される。
【００１９】
前記電子辞書１０は、その本体ケース１１と蓋体ケース１２とがヒンジ部１３を介して開閉可能な折り畳み型ケースを備えて構成される。この折り畳み型ケースを開いた本体ケース１１の表面には、文字入力キー、辞書指定キー、［決定］キー、［戻る］キー、［単語帳登録］キー１４ａなどを備えたキー入力部１４が備えられる。
【００２０】
また、前記蓋体ケース１２の表面には、そのほぼ全面にバックライト付きのタッチパネル式表示部１５が設けられる。
【００２１】
前記タッチパネル式表示部１５は、タッチ位置検出装置と表示装置が一体となった構造であり、バックライト付きカラー液晶表示画面に透明タッチパネルを重ねて構成される。
【００２２】
一方、前記電子単語帳３０は、以下に説明する電子単語帳専用の携帯機器として構成されるか、携帯電話、電子ブック、携帯ゲーム機等として構成される。
【００２３】
この電子単語帳３０は、例えばカードサイズの本体ケースを有し、その正面の左端に沿って縦長のキー入力部３１が備えられ、それ以外の領域に表示部３２が備えられる。
【００２４】
前記キー入力部３１には、前記表示部３２に表示される単語のデータを、次のデータに送る［送り］キー３１ａ、前のデータに戻す［戻り］キー３１ｂ、表示中の単語のデータにチェックマークを書き込むための［チェック］キー３１ｃ、表示中のデータの発音の音声を出力させるための［音声］キー３１ｄが備えられる。
【００２５】
この電子単語帳３０には、加速度センサを利用した傾き検出部４５（図３参照）が内蔵され、単語帳本体の傾きを検出することができる。
【００２６】
なお、前記単語のデータとは、英和モードの場合は、英単語のデータとその日本語訳（語義）のデータであり、和英モードの場合は、日本語のデータとその英語訳（語義）のデータである。
【００２７】
そして、前記単語に対応する語義は、品詞は一つで複数の語義がある場合や複数の品詞の各々で複数の語義がある場合がある。後述の表示方法の設定において（図８参照）、単語帳本体を傾けて表示動作させるための［傾け操作］Ｆｂの［品詞別］Ｆｂ１が設定された場合、前記［送り］キー３１ａの操作に応じて特定される品詞別に、当該品詞に含まれる複数の語義が前記単語帳本体の傾き方向に応じて切り替えられて表示される。また、前記［傾け操作］Ｆｂの［単語別］Ｆｂ２が設定された場合、前記［送り］キー３１ａの操作に応じて特定される単語別に当該単語に対応する複数の語義が前記単語帳本体の傾き方向に応じて切り替えられて表示される。
【００２８】
また、前記表示中の単語のデータに対するチェックマークは、例えば該当する単語をユーザが覚えていないことをユーザが確認するために当該ユーザ自身の操作によって書き込まれる。
【００２９】
図２は、前記電子辞書１０の電子回路の構成を示すブロック図である。
【００３０】
前記電子辞書１０の電子回路は、各種の記録媒体に記録されたプログラムを読み込んで、その読み込んだプログラムによって動作が制御されるコンピュータによって構成され、その電子回路には、ＣＰＵ(central processing unit)２１が備えられる。
【００３１】
このＣＰＵ２１は、記憶装置２２内に予め記憶された辞書制御プログラム２２ａ、あるいはＲＯＭカードなどの外部記録媒体２３から記録媒体読み取り部２４を介して前記記憶装置２２に書き込まれた辞書制御プログラム２２ａ、あるいはインターネットＮ上のＷｅｂサーバ（この場合はプログラムサーバ）５０から通信部２５を介して前記記憶装置２２に書き込まれた辞書制御プログラム２２ａに応じて、ＲＡＭ２６を作業用メモリとして回路各部の動作を制御する。
【００３２】
前記記憶装置２２に記憶された辞書制御プログラム２２ａは、前記キー入力部１４、タッチパネル式表示部１５からのユーザ操作に応じた入力信号、あるいは前記通信部２５を介して接続されるインターネットＮ上の各Ｗｅｂサーバ５０…や前記電子単語帳３０との通信信号に応じて起動される。
【００３３】
このように、前記ＣＰＵ２１には、前記記憶装置２２、記録媒体読み取り部２４、通信部２５、ＲＡＭ２６、キー入力部１４、タッチパネル式表示部１５が接続される。
【００３４】
前記記憶装置２２には、前記辞書制御プログラム２２ａとして、当該電子辞書１０の全体の動作を司るシステムプログラム、前記通信部２５を介してインターネットＮ上の各Ｗｅｂサーバ５０…や図示しないユーザＰＣ(Personal Computer)、前記電子単語帳３０などとデータ通信するための通信プログラム等が記憶される。また、前記辞書制御プログラム２２ａとして、検索語入力処理、検索語に対応した見出し語検索処理、検索見出し語のプレビュー付き一覧表示処理、選択された見出し語に対応する語義・用例・解説などの各種説明情報の読み出し表示処理、選択された見出し語（単語）のリスト（単語帳リスト）を生成し単語帳データ２２ｃとして登録する処理、登録された単語帳データ２２ｃを前記電子単語帳３０に送信する処理、前記電子単語帳３０から更新された単語帳情報を受信する処理など、同記憶装置２２内の辞書データベース２２ｂ、単語帳データ２２ｃに基づく検索・読み出し・表示・登録・送信・受信処理全般を制御するためのプログラムが記憶される。
【００３５】
前記辞書データベース２２ｂには、例えば、国語辞典、英和辞典、和英辞典、英英辞典等の各種の辞書が記憶される。
【００３６】
そのうち、前記英和辞典の辞書データとしては、アルファベット順にした各英単語の見出し語とその日本語の語義などからなる説明情報とが対応付けられて記憶される。
【００３７】
なお、前記英和辞典以外の各種の辞書データも、基本的には当該英和辞典と同様に、各見出し語とその語義（説明情報）とが対応付けられたデータ構造として記憶される。
【００３８】
前記単語帳データ２２ｃとしては、前記見出し語検索処理に応じて検索された見出し語（単語）の説明情報が表示された状態で、前記キー入力部１４の［単語帳登録］キー１４ａが操作された際に、当該単語とその語義（説明情報）とが対応付けられて記憶される。
【００３９】
なお、前記単語帳データ２２ｃは、前記辞書データベース２２ｂに記憶された辞書の種類毎あるいはユーザ任意の分類別に生成され、前記電子単語帳３０のための単語帳データも生成される。
【００４０】
前記ＲＡＭ２６には、入力データメモリ２６ａ、表示データメモリ２６ｂなどが確保される。
【００４１】
前記入力データメモリ２６ａには、前記キー入力部１４、タッチパネル式表示部１５のユーザ操作に応じた個々の入力データが逐次記憶される。
【００４２】
前記表示データメモリ２６ｂには、前記タッチパネル式表示部１５の画面に表示させる表示データがビットマップパターンに展開されて記憶される。
【００４３】
このように構成された電子辞書１０は、前記ＣＰＵ２１が前記辞書制御プログラム２２ａ（検索語入力処理、見出し語検索処理、プレビュー付き見出し語一覧表示処理、選択見出し語の説明情報表示処理、前記単語帳データ２２ｃの登録・送信・受信処理等を実行するためのプログラムを含む）に記述された命令に従い回路各部の動作を制御し、ソフトウエアとハードウエアとが協働して動作することにより、後述の動作説明で述べる機能を実現する。
【００４４】
図３は、前記電子単語帳３０の電子回路の構成を示すブロック図である。
【００４５】
前記電子単語帳３０の電子回路は、プログラムによって動作が制御されるコンピュータによって構成され、その電子回路には、ＣＰＵ４１が備えられる。
【００４６】
このＣＰＵ４１は、記憶装置４２内に予め記憶された単語帳制御プログラム４２ａに応じて、ＲＡＭ４４を作業用メモリとして回路各部の動作を制御する。なお、前記単語帳制御プログラム４２ａは、本電子単語帳３０に前記電子辞書１０以外と通信可能な外部インターフェースを備えさせた場合には、ＲＯＭカードなどの外部記録媒体やインターネットＮ上のＷｅｂサーバ（この場合はプログラムサーバ）５０から前記記憶装置４２に読み込むようにすることができる。
【００４７】
前記記憶装置４２に記憶された単語帳制御プログラム４２ａは、前記キー入力部３１からのユーザ操作に応じた入力信号、あるいは前記通信部４３を介して接続される前記電子辞書１０との通信信号に応じて起動される。
【００４８】
このように、前記ＣＰＵ４１には、前記記憶装置４２、通信部４３、ＲＡＭ４４、キー入力部３１、表示部３２が接続される他に、前記傾き検出部４５が接続される。
【００４９】
前記傾き検出部４５は、本電子単語帳３０本体の傾き方向を検出するもので、例えば前記表示部３２の画面に対して上下左右の４方向への傾きが検出される。
【００５０】
前記記憶装置４２には、前記単語帳制御プログラム４２ａとして、当該電子単語帳３０の全体の動作を司るシステムプログラム、前記通信部４３を介して前記電子辞書１０とデータ通信するための通信プログラム等が記憶される。また、前記単語帳制御プログラム４２ａとして、前記電子辞書１０との通信接続に伴い当該電子辞書１０から送信された単語帳データ２２ｃを受信して前記記憶装置４２に記憶させるためのデータ受信処理、前記記憶装置４２に記憶された単語帳データ４２ｂにある各単語のデータをユーザ任意に設定された表示方法に応じて順次表示させながら学習する単語帳学習処理、この単語帳学習処理に応じて更新された前記単語帳データ４２ｂのマーカ情報を前記電子辞書１０との通信接続に伴い当該電子辞書１０に送信して反映させるためのデータ送信処理など、同記憶装置４２内の単語帳データ４２ｂ、表示方法設定データ４２ｃに基づく表示・受信・送信処理全般を制御するためのデータ処理プログラムが記憶される。
【００５１】
図４は、前記電子単語帳３０に記憶される単語帳データ４２ｂの内容を示す図である。
【００５２】
この単語帳データ４２ｂとしては、前記電子辞書１０から受信された単語帳データ２２ｃの各単語…とその語義（説明情報）が対応付けられて記憶される。また各語義に対応付けられて、前記単語帳学習処理でその語義が表示される毎にカウントされる表示回数とその表示回数が所定回数（例えば５回）以上となった場合にセットされるマーカフラグが記憶される。
【００５３】
前記マーカフラグは、当該フラグがセットされた語義を、前記電子辞書１０で単語帳学習を行う際にマーカを付加して表示させるための情報であり、この電子単語帳３０において更新されたマーカ情報は、前記電子辞書１０との通信接続時に当該電子辞書１０に送信されその単語帳データ２２ｃに反映される。
【００５４】
前記表示方法設定データ４２は、前記単語帳学習処理で、単語や語義をどのように表示するかを設定するデータである。ここでは、当該単語帳データ４２ｂに記憶される各単語とその語義（説明情報）を、キー操作に応じて順次切り替えて表示させるか、又は単語帳本体の傾け操作に応じて品詞別に当該品詞の複数の語義を切り替えて表示させるか、又は同単語帳本体の傾け操作に応じて単語別に当該単語の複数の語義を切り替えて表示させるかの設定データが、ユーザ操作に基づき選択されて記憶される。
【００５５】
前記ＲＡＭ４４には、前記表示部３２に表示させるべき表示データが記憶される表示データメモリ４４ａなどが確保される。
【００５６】
このように構成された電子単語帳３０は、前記ＣＰＵ４１が前記単語帳制御プログラム４２ａ（データ受信処理、単語帳学習処理、データ送信処理等を実行するためのプログラムを含む）に記述された命令に従い回路各部の動作を制御し、ソフトウエアとハードウエアとが協働して動作することにより、以下の動作説明で述べる機能を実現する。
【００５７】
次に、前記構成の電子単語帳３０の動作について説明する。
【００５８】
図５は、前記電子辞書１０による辞書検索処理を示すフローチャートである。
【００５９】
前記電子辞書１０において、前記キー入力部１４の操作に応じてユーザ所望の辞書（例えば［英和辞典］）が選択されると（ステップＳ１）、当該選択された辞書に応じた検索語入力画面（図示せず）が前記タッチパネル表示部１５に表示される（ステップＳ２）。
【００６０】
この検索語入力画面において、所望の検索語、例えば「drag」が入力されると（ステップＳ２）、入力された検索語に対応した見出し語「drag」が前記辞書データベース２２ｂ内の前記選択された辞書［英和辞典］から検索され、当該検索された見出し語「drag」に対応した語義（説明情報）が前記表示部１５に表示される（ステップＳ３）。
【００６１】
そして、前記検索された見出し語（単語）を所望の単語帳に登録したい場合に、前記キー入力部１４の［単語帳登録］キー１４ａが操作され単語帳への登録が指示されると（ステップＳ４（Ｙｅｓ））、複数種類の単語帳の一覧が表示される。この単語帳の一覧から所望の単語帳が指定されると（ステップＳ５）、当該指定された単語帳に対応した単語帳データ２２ｃに、前記検索された見出し語（単語）「drag」とその語義（説明情報）が対応付けられて登録される（ステップＳ６）。
【００６２】
この後、更に見出し語検索を行う場合には（ステップＳ７（Ｙｅｓ））、ステップＳ２に戻り、ユーザにより次の検索語が入力され、前記同様の処理が行われる。
【００６３】
図６は、前記電子辞書１０による前記電子単語帳３０との通信処理を示すフローチャートである。
【００６４】
前記電子辞書１０において、前記電子単語帳３０との通信モードに設定され、前記通信部２５を介して当該電子単語帳３０と接続されたと判断されると（ステップＡ１）、同電子単語帳３０との間で通信対象とする項目の選択を促す通信選択メニュー（図示せず）がタッチパネル式表示部１５に表示される（ステップＡ２）。
【００６５】
前記通信選択メニューには、本電子辞書１０の単語帳データ２２ｃの送りを指定する項目［単語帳を送る］と前記電子単語帳３０からその単語帳データ４２ｂにて更新されたマーカ情報の受信を指定する項目［マーカ情報を受信する］とが表示される。
【００６６】
ここで、前記項目［単語帳を送る］が選択されると（ステップＡ３（送信））、前記単語帳データ２２ｃに登録された各単語とその語義（説明情報）が読み出され、前記通信部２５から前記電子単語帳３０に送信される（ステップＡ４）。
【００６７】
また、前記項目［マーカ情報を受信する］が選択されると（ステップＡ３（受信））、前記電子単語帳３０にその単語帳データ４２ｂに含まれるマーカ情報の送信を指示するリモート信号が送信された後、これに応答して当該電子単語帳３０から送信された単語帳データ４２ｂ（図４参照）のマーカ情報（マーカフラグ“１”がセットされている単語（例えば「drag」）→品詞「他動詞」→語義「(2)争い等に引きずり込む」の識別情報）が受信される（ステップＡ５）。すると、本電子辞書１０内の単語帳データ２２ｃにおいて、前記電子単語帳３０からのマーカ情報に基づき、該当する単語→品詞→語義に対してマーカフラグがセットされて反映される（ステップＡ６）。
【００６８】
これにより、前記電子辞書１０の単語帳データ２２ｃに基づき単語帳学習を行う際は、例えば図１１に示すように、その単語帳学習画面Ｇにおいて、前記マーカフラグがセットされたところの語義にマーカｍを付加して識別表示させることができる。よって、前記電子単語帳３０においてユーザが何回も繰り返し学習した重要な単語の語義であることを当該ユーザに改めて認識させ、この電子辞書１０と電子単語帳３０による学習効率を向上させることができる。
【００６９】
図７は、前記電子単語帳３０による単語帳学習処理を示すフローチャートである。
【００７０】
図８は、前記電子単語帳３０の単語帳学習処理に従った表示方法の設定に伴う表示動作を示す図である。
【００７１】
前記電子単語帳３０において、図７における単語帳学習処理が起動されると、図８（Ａ）に示すように、学習の開始を選択する項目［学習］Ｅと表示方法の設定を選択する項目［表示方法］Ｆとを配列した初期メニューが表示部３２に表示される（ステップＴ１）。
【００７２】
この初期メニューにおいて、［送り］キー３１ａまたは［戻り］キー３１ｂの操作により項目を切り替え、前記項目［表示方法］Ｆが選択されると（ステップＴ２（表示方法設定））、図８（Ｂ）に示すように、キー操作に応じた表示をさせるかまたは傾け操作に応じた表示をさせるかを設定するための項目［キー操作］Ｆａと［傾け操作］Ｆｂが表示される。
【００７３】
ここで、項目［キー操作］Ｆａが選択されると、当該選択された表示方法が前記表示方法設定データ４２ｃに設定され（ステップＴ３）、前記図８（Ａ）で示した初期メニューの表示に戻る（ステップＴ１）。
【００７４】
一方、前記図８（Ｂ）で項目［傾け操作］Ｆｂが選択されると、さらに、図８（Ｃ）に示すように、品詞別の語義表示をさせるかまたは単語別の語義表示をさせるかを設定するための項目［品詞別］Ｆｂ１と［単語別］Ｆｂ２が表示される。
【００７５】
ここで、前記品詞別の語義表示を設定する項目［品詞別］Ｆｂ１または前記単語別の語義表示を設定する項目［単語別］Ｆｂ２が選択されると、当該選択された表示方法が前記表示方法設定データ４２ｃに設定され（ステップＴ３）、前記図８（Ａ）で示した初期メニューの表示に戻る（ステップＴ１）。
【００７６】
次に、学習する動作を説明する（ステップＴ１，Ｔ２（学習））。
まず、前記図８（Ｂ）で示した項目［キー操作］Ｆａが選択され、その表示方法「キー操作に応じた表示」が前記表示方法設定データ４２ｃに設定された状態で（ステップＴ３）、初期メニューの項目［学習］Ｅが選択された場合（ステップＴ１，Ｔ２（学習））について説明する。
【００７７】
この場合、前記単語帳データ４２ｂ（図４参照）に記憶されている単語のデータが、その先頭から順番にあるいはランダムに読み出され（ステップＴ４）、当該読み出された単語のデータの英単語が表示部３２に表示される（ステップＴ５）。
【００７８】
次に、前記表示方法設定データ４２ｃに、傾け操作で表示するとの設定データが記憶されているか判断する。この場合「キー操作に応じた表示」が設定されていると判断され（ステップＴ６（Ｎｏ）、［送り］キー３１ａの操作を待つことになる。
そして、ユーザにより、前記表示された英単語の語義を覚えているかが確認され、［送り］キー３１ａが操作されると（ステップＴ７（Ｙｅｓ））、前記読み出された単語のデータの語義（説明情報）が前記表示部３２に表示される（ステップＴ８）。
【００７９】
そしてまた前記［送り］キー３１ａが操作されると（ステップＴ９（Ｙｅｓ））、前記単語帳データ４２ｂに記憶されている次の単語のデータが読み出され（ステップＴ４）、その英単語が前記表示部３２に表示される（ステップＴ５）。
【００８０】
つまり、前記表示方法設定データ４２ｃとして、「キー操作に応じた表示」が設定された場合には、前記［送り］キー３１ａの操作に応じて、前記単語帳データ４２ｂに記憶されている各英単語とその語義（説明情報）とが順次切り替えられて表示される（ステップＴ４〜Ｔ６（Ｎｏ），Ｔ７〜Ｔ９（Ｙｅｓ）→Ｔ４）。
【００８１】
次に、表示方法が「傾け操作に応じた表示」であって「品詞別の語義表示」または「単語別の語義表示」として前記表示方法設定データ４２ｃに設定された場合の学習動作（ステップＴ１，Ｔ２（学習））について説明する。
【００８２】
図９は、前記電子単語帳３０の単語帳学習処理における傾け動作処理を示すフローチャートである。
【００８３】
図１０は、前記電子単語帳３０の傾け動作処理に従ったユーザ操作に対応する表示動作を示す図である。
【００８４】
先ず、前記単語帳データ４２ｂ（図４参照）に記憶されている単語のデータが、その先頭から順番にあるいはランダムに読み出され（ステップＴ４）、当該読み出された単語のデータの英単語が表示部３２に表示される（ステップＴ５）。
【００８５】
例えば、図１０に示すように、前記単語帳データ４２ｂ（図４参照）に記憶されている英単語「drag」が表示部３２に表示される。
【００８６】
次に、前記表示方法設定データ４２ｃに「傾け操作に応じた表示」が設定されているか判断され、設定されていると判断されると（ステップＴ６（Ｙｅｓ））、図９における傾け動作処理に移行される（ステップＴＰ）。
【００８７】
この傾け動作処理では、まず、前記ステップＴ５にて表示された英単語について、その品詞が複数あるか否か判断される（ステップＰ１）。
【００８８】
例えば、前記表示部３２に表示された英単語「drag」について、前記単語帳データ４２ｂに基づき、その品詞には「他動詞」「自動詞」「名詞」の複数があると判断されると（ステップＰ１（Ｙｅｓ））、前記表示方法設定データ４２ｂにおいて「品詞別の語義表示」が設定されているか「単語別の語義表示」が設定されているかが判断される（ステップＰ２）。
【００８９】
そして、前記「品詞別の語義表示」が設定されていると判断されると（ステップＰ２（Ｙｅｓ））、前記表示された単語帳データ４２ｂの英単語「drag」について先頭の品詞「他動詞」が特定され（ステップＰ３）、特定された品詞「他動詞」に対応する４つの語義(1)(2)(3)(4)がそれぞれ前記表示部３２の上下左右の４方向に割り当てられる（ステップＰ４）。
【００９０】
すると、図１０（Ａ１）に示すように、表示されている英単語「drag」と共に、前記特定された品詞「他動詞」と前記４つの語義(1)(2)(3)(4)の割り当て方向を示す品詞別傾きガイド画面ＫＧｈが表示され（ステップＰ７）、前記［送り］キー３１ａの操作の有無または前記傾き検出部４５による傾き検出の有無の判断待機状態になる（ステップＰ８，Ｐ９）。
【００９１】
ここで、図１０（Ａ２）に示すように、単語帳本体（３０）をユーザ操作に応じて右に傾けることで、前記傾き検出部４５によりその右への傾きが検出されたと判断されると（ステップＰ９（Ｙｅｓ））、その傾き方向「右」に割り当てられた語義「(2)争い等に引きずり込む」が表示部３２に表示される（ステップＰ１０）。
【００９２】
すると、前記表示された単語「drag」における他動詞の語義「(2)争い等に引きずり込む」について、前記単語帳データ４２ｂにて管理される表示回数がカウントアップされ（ステップＰ１１）、当該表示回数が所定数（ここでは５回）に達したか否か判断される（ステップＰ１２）。
【００９３】
ここで、前記単語「drag」における他動詞の語義(2)の表示回数が所定数に達していないと判断されると（ステップＰ１２（Ｎｏ））、前記傾き検出部４５により検出された単語帳本体（３０）の「右」への傾きが戻されたか否かの判断（ステップＰ１４）、または［送り］キー３１ａが操作されたか否かの判断（ステップＰ１５）の待機状態になる。
【００９４】
そして、前記傾き検出部４５により検出された単語帳本体（３０）の「右」への傾きが戻されたと判断された場合は（ステップＰ１４（Ｙｅｓ））、前記図１０（Ａ１）で示したように、前記英単語「drag」と共に、前記特定された品詞「他動詞」と前記４つの語義(1)(2)(3)(4)の割り当て方向を示した品詞別傾きガイド画面ＫＧｈの表示に戻る（ステップＰ７）。
【００９５】
そして、前記英単語「drag」の品詞「他動詞」に対応した品詞別傾きガイド画面ＫＧｈにおいて、前記傾き検出部４５により「上」への傾きが検出された場合は、その傾き方向「上」に割り当てられた語義「(1)引きずる、引っ張る」が表示され、また、「下」への傾きが検出された場合は、その傾き方向「下」に割り当てられた語義「(3)探る、さらう」が表示され、また、「左」への傾きが検出された場合は、その傾き方向「左」に割り当てられた語義「(4)長引かせる」が表示される（ステップＰ９（Ｙｅｓ），Ｐ１０）。
【００９６】
この後、例えば、前記傾き検出部４５による「右」への傾き検出が繰り返されることで、その傾き方向「右」に割り当てられた語義「(2)争い等に引きずり込む」の表示が繰り返され、前記単語帳データ４２ｂにて管理される表示回数が所定数（５回）に達したと判断された場合は（ステップＰ１１，Ｐ１２（Ｙｅｓ））、当該英単語「drag」の品詞「他動詞」の該当の語義(2)に対してマーカフラグ“１”がセットされる（ステップＰ１３）。
【００９７】
一方、前記図１０（Ａ１）で示した品詞別傾きガイド画面ＫＧｈの表示状態（ステップＰ７）で、［送り］キー３１ａが操作されたと判断された場合（ステップＰ８（Ｙｅｓ））か、または前記図１０（Ａ２）で示した傾き方向に応じた語義の表示状態（ステップＰ１０〜Ｐ１５）で、［送り］キー３１ａが操作されたと判断された場合（ステップＰ１５（Ｙｅｓ））には、現在表示中の英単語「drag」の品詞「他動詞」の次の品詞「自動詞」が特定される（ステップＰ１６，Ｐ１７（Ｙｅｓ）→Ｐ３）。
【００９８】
すると、前記特定された品詞「自動詞」に対応する３つの語義(1)(2)(3)がそれぞれ前記表示部３２の上下左右の４方向に割り当てられ（ステップＰ４）、図１０（Ａ３）に示すように、表示されている英単語「drag」と共に、前記特定された品詞「自動詞」と前記３つの語義(1)(2)(3)の割り当て方向を示す品詞別傾きガイド画面ＫＧｈが表示される（ステップＰ７）。
【００９９】
一方、前記表示部３２に表示された複数の品詞を有する英単語「drag」について、前記表示方法設定データ４２ｂに「単語別の語義表示」が設定されていると判断された場合（ステップＰ２（Ｎｏ））には、その複数の品詞「他動詞」「自動詞」「名詞」それぞれの第１語義(1)が前記表示部３２の上下左右の４方向に割り当てられる（ステップＰ５）。
【０１００】
すると、図１０（Ｂ１）に示すように、表示されている英単語「drag」と共に、その複数の品詞「他動詞」「自動詞」「名詞」の割り当て方向を示す単語別傾きガイド画面ＫＧｔが表示され（ステップＰ７）、前記［送り］キー３１ａの操作の有無または前記傾き検出部４５による傾き検出の有無の判断待機状態になる（ステップＰ８，Ｐ９）。
【０１０１】
ここで、図１０（Ｂ２）に示すように、単語帳本体（３０）をユーザ操作に応じて右に傾けることで、前記傾き検出部４５によりその右への傾きが検出されたと判断されると（ステップＰ９（Ｙｅｓ））、その傾き方向「右」に割り当てられた品詞「自動詞」の第１語義「のろのろ動く」が表示部３２に表示される（ステップＰ１０）。
【０１０２】
すると、前記表示された単語「drag」における自動詞の第１語義「(1)のろのろ動く」について、前記単語帳データ４２ｂにて管理される表示回数がカウントアップされ（ステップＰ１１）、当該表示回数が所定数（５回）に達したか否か判断される（ステップＰ１２）。
【０１０３】
ここで、前記単語「drag」における自動詞の第１語義(1)の表示回数が所定数に達していないと判断されると（ステップＰ１２（Ｎｏ））、前記傾き検出部４５により検出された単語帳本体（３０）の「右」への傾きが戻されたか否かの判断（ステップＰ１４）、または［送り］キー３１ａが操作されたか否かの判断（ステップＰ１５）の待機状態になる。
【０１０４】
そして、前記傾き検出部４５により検出された単語帳本体（３０）の「右」への傾きが戻されたと判断された場合は（ステップＰ１４（Ｙｅｓ））、前記図１０（Ｂ１）で示したように、前記英単語「drag」と共に、その複数の品詞「他動詞」「自動詞」「名詞」の割り当て方向を示した単語別傾きガイド画面ＫＧｔの表示に戻る（ステップＰ７）。
【０１０５】
そして、前記英単語「drag」の単語別傾きガイド画面ＫＧｔにおいて、前記傾き検出部４５により「上」への傾きが検出された場合は、その傾き方向「上」に割り当てられた品詞「他動詞」の第１語義「引きずる、引っ張る」が表示され、また、「下」への傾きが検出された場合は、その傾き方向「下」に割り当てられた品詞「名詞」の第１語義「引きずること」が表示される（ステップＰ９（Ｙｅｓ），Ｐ１０）。
【０１０６】
この「単語別の語義表示」の設定の場合も前記「品詞別の語義表示」の設定の場合と同様に、表示中の英単語のある品詞の第１語義の表示が繰り返され、前記単語帳データ４２ｂにて管理される表示回数が所定数（５回）に達したと判断された場合には（ステップＰ１１，Ｐ１２（Ｙｅｓ））、当該英単語の該当する品詞の第１語義(1)に対してマーカフラグ“１”がセットされる（ステップＰ１３）。
【０１０７】
そして、前記図１０（Ｂ１）で示した単語別傾きガイド画面ＫＧｔの表示状態（ステップＰ７）で、［送り］キー３１ａが操作されたと判断された場合（ステップＰ８（Ｙｅｓ））か、または前記図１０（Ｂ２）で示した傾き方向に応じた品詞の第１語義の表示状態（ステップＰ１０〜Ｐ１５）で、［送り］キー３１ａが操作されたと判断された場合（ステップＰ１５（Ｙｅｓ））には、前記表示方法設定データ４２ｂに「単語別の語義表示」が設定されているとの判断（ステップＰ１６（Ｎｏ））に従い、前記単語帳データ４２ｂから次の単語のデータが読み出される（ステップＴ４）。
【０１０８】
一方、前記図９における傾け動作処理に移行された際に（ステップＴＰ）、前記ステップＴ４，Ｔ５に従い前記表示部３２に表示された英単語について、複数の品詞を有さないと判断された場合は（ステップＰ１（Ｎｏ））、前記表示方法設定データ４２ｂに設定されている表示方法が「品詞別の語義表示」であるか「単語別の語義表示」であるかに関わらず、当該英単語の各語義が前記表示部３２の上下左右の４方向に割り当てられる（ステップＰ６）。
【０１０９】
すると、前記表示されている英単語と共に、その複数の語義の割り当て方向を示す語義別傾きガイド画面（図１０（Ｂ１）で示す単語別傾きガイド画面ＫＧｔの品詞表記が無いものに相当）が表示され（ステップＰ７）、前記同様に、［送り］キー３１ａの操作の有無または前記傾き検出部４５による傾き検出の有無の判断待機状態になる（ステップＰ８，Ｐ９）。
【０１１０】
この語義別傾きガイド画面において、前記傾き検出部４５により「上」「下」「左」「右」への何れかの傾きが検出された場合にも、前記同様に、その傾き方向に割り当てられた語義が表示される（ステップＰ９（Ｙｅｓ），Ｐ１０）。
【０１１１】
そして、前記語義別傾きガイド画面の表示状態（ステップＰ７）で、［送り］キー３１ａが操作されたと判断された場合（ステップＰ８（Ｙｅｓ））か、または前記傾き方向に応じた語義の表示状態（ステップＰ１０〜Ｐ１５）で、［送り］キー３１ａが操作されたと判断された場合（ステップＰ１５（Ｙｅｓ））には、前記表示中の英単語が複数の品詞を有さないとの判断（ステップＰ１）に基づき、前記表示方法設定データ４２ｂに設定されている表示方法が「品詞別の語義表示」であるか「単語別の語義表示」であるかに関わらず（ステップＰ１６（Ｎｏ），Ｐ１７（Ｎｏ））、前記単語帳データ４２ｂから次の単語のデータが読み出される（ステップＴ４）。
【０１１２】
したがって、前記構成の電子単語帳３０による単語帳学習機能によれば、前記単語帳データ４２ｂから前記［送り］キー３１ａの操作に応じて順次読み出されて表示される英単語について、ユーザ操作に応じて前記表示方法設定データ４２ｃに設定される表示方法として「傾け操作に応じた表示」が設定されている場合には、当該英単語に対応する複数の語義がそれぞれ単語帳本体（３０）の上下左右の４方向に割り当てられ、同英単語と共にその複数の語義の割り当て方向を示す品詞別傾きガイド画面ＫＧｈや単語別傾きガイド画面ＫＧｔ等が表示される。そして、前記単語帳本体（３０）を前記傾きガイド画面ＫＧに従った方向に傾けると、その傾け方向に応じて割り当てられた前記表示中の英単語の語義が表示される。
【０１１３】
これにより、単語に対応した様々な語義をユーザの使い勝手や操作性良く効率的に学習することが可能になる。
【０１１４】
また、前記構成の電子単語帳３０による単語帳学習機能によれば、前記単語帳本体（３０）の傾け操作により当該傾け方向に応じて割り当てられた前記表示中の英単語の語義が表示された際には、前記単語帳データ４２ｂの該当する英単語の語義に対応付けられて当該語義の表示回数がカウントされて記憶される。そして、このカウントされた表示回数が所定数に達した場合には、ユーザが何回も見直しており重要な語義、あるいは覚えにくい語義であるとして、該当する語義にマーカｍを付加して表示させるためのマーカフラグ“１”が、前記単語帳データ４２ｂの該当する英単語の語義に対応付けられてセットされる。この単語帳データ４２ｂの英単語の語義に対するマーカ情報は、前記電子辞書１０との通信接続に伴い同電子辞書１０へ送信されその単語帳データ２２ｃに反映される。
【０１１５】
図１１は、前記電子辞書１０による単語帳学習処理に従った単語帳学習画面Ｇの表示動作を示す図である。
【０１１６】
この図１１に示すように、前記電子辞書１０の単語帳データ２２ｃに基づき単語帳学習を行う際は、前記マーカフラグがセットされたところの語義にマーカｍを付加して識別表示させることができる。よって、前記電子単語帳３０においてユーザが何回も繰り返し学習した重要な単語の語義であることを当該ユーザに改めて認識させ、この電子辞書１０と電子単語帳３０による学習効率を向上させることができる。
【０１１７】
なお、前記実施形態では、英和モードでの単語帳学習処理について説明したが、和英モードでも前記同様に「傾け操作に応じた表示」を実行できるのは言うまでもない。
【０１１８】
また、前記実施形態では、英単語に対応する語義（説明情報）の表示に際して、複数の語義（複数の品詞がある場合には品詞別にした複数の語義あるいは各品詞の第１語義）を単語帳本体（３０）の各傾け方向に割り当てて表示させる構成とした。これに対し、前記複数の語義のうち重要な語義あるいは用例のある語義については、常に特定の傾け方向に割り当てて表示させる構成としてもよい。
【０１１９】
また、前記実施形態では、前記単語帳データ４２ｂから読み出される各英単語の複数の語義について、そのそれぞれの語義を前記単語帳本体（３０）の上下左右の４つの傾け方向に割り当てて表示させる構成としたが、当該４つの傾け方向に割り当てる複数の語義が５つ以上ある場合は、各傾け方向について傾けた回数に応じて更に次の語義を表示させる構成としてもよい。
【０１２０】
また、前記実施形態では、単語帳本体（３０）の各傾け方向に対応させて複数の語義をそれぞれ割り当てて表示させる構成としたが、これに限らず、例えば単語帳本体（３０）を上下左右に振った方向など、当該単語帳本体（３０）の検出可能な動きに対応させて前記複数の語義をそれぞれ割り当てて表示させる構成としてもよい。
【０１２１】
なお、前記各実施形態において記載した電子辞書１０と電子単語帳３０による各処理の手法、すなわち、図５のフローチャートに示す前記電子辞書１０の辞書検索処理、図６のフローチャートに示す前記電子辞書１０の通信処理、図７のフローチャートに示す前記電子単語帳３０の単語帳学習処理、図９のフローチャートに示す前記電子単語帳３０の単語帳学習処理における傾け動作処理等の各手法は、何れもコンピュータに実行させることができるプログラムとして、メモリカード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記録装置の媒体に格納して配布することができる。そして、表示部を備えた電子機器のコンピュータ（制御装置）は、この外部記録装置の媒体に記憶されたプログラムを記憶装置に読み込み、この読み込んだプログラムによって動作が制御されることにより、前記各実施形態において説明した辞書検索機能、通信機能、単語帳学習機能を実現し、前述した手法による同様の処理を実行することができる。
【０１２２】
また、前記各手法を実現するためのプログラムのデータは、プログラムコードの形態として通信ネットワーク（Ｎ）上を伝送させることができ、この通信ネットワーク（Ｎ）に接続されたコンピュータ装置（プログラムサーバ）から前記プログラムのデータを表示部を備えた電子機器に取り込んで記憶装置に記憶させ、前述した辞書検索機能、通信機能、単語帳学習機能を実現することもできる。
【０１２３】
本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【０１２４】
以下に、本願出願の当初の特許請求の範囲に記載された発明を付記する。
【０１２５】
［１］
単語と当該単語に対応した複数の語義を対応付けて記憶する単語記憶手段と、
ユーザ操作に応じた装置本体の複数の動きに対応させて前記複数の語義をそれぞれ割り当てる語義割り当て手段と、
前記ユーザ操作による装置本体の動きに応じて前記語義割り当て手段により割り当てられた語義を表示部に表示させる語義表示手段と、
を備えたことを特徴とする単語学習装置。
【０１２６】
［２］
前記装置本体の複数の動きは、複数の方向への傾きであることを特徴とする［１］に記載の単語学習装置。
【０１２７】
［３］
前記単語記憶手段により記憶された語義に対応付けて当該語義が前記語義表示手段により表示された回数を計数して記憶する表示回数記憶手段と、
この表示回数記憶手段により記憶された表示回数が所定回数に達した語義に対応付けて当該語義を識別表示させるための識別情報を記憶させる識別情報記憶手段と、
を備えたことを特徴とする［１］または［２］に記載の単語学習装置。
【０１２８】
［４］
ユーザ操作に応じて語義の表示方法を設定する表示方法設定手段を備え、
前記語義表示手段は、前記表示方法設定手段により前記装置本体の動きに応じて語義を表示する表示方法が設定された場合に、前記ユーザ操作による装置本体の動きに応じて前記語義割り当て手段により割り当てられた語義を表示部に表示させる、
ことを特徴とする［１］ないし［３］の何れかに記載の単語学習装置。
【０１２９】
［５］
記憶部と表示部を備えた電子機器のコンピュータを制御するためのプログラムであって、
前記コンピュータを、
単語と当該単語に対応した複数の語義を対応付けて前記記憶部に記憶させる単語記憶手段と、
ユーザ操作に応じた装置本体の複数の動きに対応させて前記複数の語義をそれぞれ割り当てる語義割り当て手段と、
前記ユーザ操作による装置本体の動きに応じて前記語義割り当て手段により割り当てられた語義を前記表示部に表示させる語義表示手段、
として機能させるためのコンピュータ読み込み可能なプログラム。
【符号の説明】
【０１３０】
１０  …電子辞書
１４  …キー入力部（辞書）
１４ａ…［単語帳登録］キー
１５  …タッチパネル式表示部
３０  …電子単語帳
３１  …キー入力部（単語帳）
３１ａ…［送り］キー
３１ｂ…［戻り］キー
３１ｃ…［チェック］キー
２１，４１…ＣＰＵ
２２，４２…記憶装置
２２ａ…辞書制御プログラム
４２ａ…単語帳制御プログラム
２２ｂ…辞書データベース
２２ｃ…単語帳データ（辞書）
４２ｂ…単語帳データ（単語帳）
４２ｃ…表示方法設定データ
２３  …外部記録媒体
２４  …記録媒体読み取り部
２５，４３…通信部
２６，４４  …ＲＡＭ
４５  …傾き検出部
５０  …Ｗｅｂサーバ
Ｎ    …通信ネットワーク
ＫＧｈ…品詞別傾きガイド画面
ＫＧｔ…単語別傾きガイド画面
Ｇ    …単語帳学習画面
ｍ    …マーカ
【図１】
2015194552.tif 000003
【図２】
2015194552.tif 000004
【図３】
2015194552.tif 000005
【図４】
2015194552.tif 000006
【図５】
2015194552.tif 000007
【図６】
2015194552.tif 000008
【図７】
2015194552.tif 000009
【図８】
2015194552.tif 000010
【図９】
2015194552.tif 000011
【図１０】
2015194552.tif 000012
【図１１】
2015194552.tif 000013